(57)【要約】【課題】商品カタログの商品において消費者の商品ニーズを反映して消費者に魅力的な商品を確実に選定できる商品カタログの商品選定システム及び方法を提供することを課題とする。【解決手段】商品カタログの商品選定システムは、販売履歴データにおける各販売商品の商品分類情報と商品候補データにおける各候補商品の商品分類情報とを比較し、互いに一致する候補商品を第一選定商品として選定する商品分類選定手段と、前記商品分類選定手段によって選定された第一選定商品の価格帯情報に対して、該第一選定商品の商品分類情報に一致した販売商品の販売価格情報が含まれるか否かを判別し、販売商品の販売価格情報を含むと判断された第一選定商品をカタログ掲載商品として選定する価格選定手段とを備える。【選択図】図３
2015072600.tif 000002
【特許請求の範囲】
【請求項１】
小売店で販売された複数の販売商品に関する販売履歴データと、商品カタログに掲載される商品の候補である複数の候補商品に関する商品候補データとを用いて、商品カタログに掲載するための商品を選定するためのシステムであって、
前記販売履歴データは、各販売商品を予め設定した分類毎に区分けした商品分類情報と、各販売商品の販売価格情報とを有し、
前記商品候補データは、各候補商品を予め設定した分類毎に区分けした商品分類情報と、各候補商品の販売価格を販売価格帯毎に区分けした価格帯情報とを有し、
販売履歴データにおける各販売商品の商品分類情報と商品候補データにおける各候補商品の商品分類情報とを比較し、互いに一致する候補商品を第一選定商品として選定する商品分類選定手段と、
前記商品分類選定手段によって選定された第一選定商品の価格帯情報に対して、該第一選定商品の商品分類情報に一致した販売商品の販売価格情報が含まれるか否かを判別し、販売商品の販売価格情報を含むと判断された第一選定商品をカタログ掲載商品として選定する価格選定手段とを備えることを特徴とする商品カタログの商品選定システム。
【請求項２】
小売店で販売された複数の販売商品に関する販売履歴データと、商品カタログに掲載される商品の候補である複数の候補商品に関する商品候補データとを用いて、商品カタログに掲載するための商品を選定するためのシステムであって、
前記販売履歴データは、各販売商品を予め設定した分類毎に区分けした商品分類情報と、各販売商品の販売個数又は販売順位情報とを有し、
前記商品候補データは、各候補商品を予め設定した分類毎に区分けした商品分類情報を有し、
販売履歴データにおける各販売商品の商品分類情報と商品候補データにおける各候補商品の商品分類情報とを比較し、互いに一致する候補商品を第一選定商品として選定する商品分類選定手段と、
前記第一選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第一選定商品をカタログ掲載商品として選定する販売個数選定手段とを備えることを特徴とする商品カタログの商品選定システム。
【請求項３】
小売店で販売された複数の販売商品に関する販売履歴データと、商品カタログに掲載される商品の候補である複数の候補商品に関する商品候補データとを用いて、商品カタログに掲載するための商品を選定するためのシステムであって、
前記販売履歴データは、各販売商品を予め設定した分類毎に区分けした商品分類情報と、各販売商品の販売価格情報と、各販売商品の販売個数又は販売順位情報とを有し、
前記商品候補データは、各候補商品を予め設定した分類毎に区分けした商品分類情報と、各候補商品の販売価格を販売価格帯毎に区分けした価格帯情報とを有し、
販売履歴データにおける各販売商品の商品分類情報と商品候補データにおける各候補商品の商品分類情報とを比較し、互いに一致する候補商品を第一選定商品として選定する商品分類選定手段と、
前記商品分類選定手段によって選定された第一選定商品の価格帯情報に対して、該第一選定商品の商品分類情報に一致した販売商品の販売価格情報が含まれるか否かを判別し、販売商品の販売価格情報を含むと判断された第一選定商品を第二選定商品として選定する価格選定手段と、
前記第二選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第二選定商品をカタログ掲載商品として選定する販売個数選定手段とを備えることを特徴とする商品カタログの商品選定システム。
【請求項４】
前記所定の販売個数又は所定の販売順位は、前記販売個数選定手段によってカタログ掲載商品として選定される候補商品数が商品カタログに掲載すべく予め設定された所定の商品数に一致するように設定されることを特徴とする請求項２又は３記載の商品カタログの商品選定システム。
【請求項５】
小売店で販売された複数の販売商品に関する販売履歴データと、商品カタログに掲載される商品の候補である複数の候補商品に関する商品候補データとを用いて、商品カタログに掲載するための商品を選定するための方法であって、
前記販売履歴データは、各販売商品を予め設定した分類毎に区分けした商品分類情報と、各販売商品の販売価格情報とを有し、
前記商品候補データは、各候補商品を予め設定した分類毎に区分けした商品分類情報と、各候補商品の販売価格を販売価格帯毎に区分けした価格帯情報とを有し、
販売履歴データにおける各販売商品の商品分類情報と商品候補データにおける各候補商品の商品分類情報とを比較し、互いに一致する候補商品を第一選定商品として選定する商品分類選定ステップと、
前記商品分類選定ステップによって選定された第一選定商品の価格帯情報に対して、該第一選定商品の商品分類情報に一致した販売商品の販売価格情報が含まれるか否かを判別し、販売商品の販売価格情報を含むと判断された第一選定商品をカタログ掲載商品として選定する価格選定ステップとを備えることを特徴とする商品カタログの商品選定方法。
【請求項６】
小売店で販売された複数の販売商品に関する販売履歴データと、商品カタログに掲載される商品の候補である複数の候補商品に関する商品候補データとを用いて、商品カタログに掲載するための商品を選定するための方法であって、
前記販売履歴データは、各販売商品を予め設定した分類毎に区分けした商品分類情報と、各販売商品の販売個数又は販売順位情報とを有し、
前記商品候補データは、各候補商品を予め設定した分類毎に区分けした商品分類情報を有し、
販売履歴データにおける各販売商品の商品分類情報と商品候補データにおける各候補商品の商品分類情報とを比較し、互いに一致する候補商品を第一選定商品として選定する商品分類選定ステップと、
前記第一選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第一選定商品をカタログ掲載商品として選定する販売個数選定ステップとを備えることを特徴とする商品カタログの商品選定方法。
【請求項７】
小売店で販売された複数の販売商品に関する販売履歴データと、商品カタログに掲載される商品の候補である複数の候補商品に関する商品候補データとを用いて、商品カタログに掲載するための商品を選定するための方法であって、
前記販売履歴データは、各販売商品を予め設定した分類毎に区分けした商品分類情報と、各販売商品の販売価格情報と、各販売商品の販売個数又は販売順位情報とを有し、
前記商品候補データは、各候補商品を予め設定した分類毎に区分けした商品分類情報と、各候補商品の販売価格を販売価格帯毎に区分けした価格帯情報とを有し、
販売履歴データにおける各販売商品の商品分類情報と商品候補データにおける各候補商品の商品分類情報とを比較し、互いに一致する候補商品を第一選定商品として選定する商品分類選定ステップと、
前記商品分類選定ステップによって選定された第一選定商品の価格帯情報に対して、該第一選定商品の商品分類情報に一致した販売商品の販売価格情報が含まれるか否かを判別し、販売商品の販売価格情報を含むと判断された第一選定商品を第二選定商品として選定する価格選定ステップと、
前記第二選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第二選定商品をカタログ掲載商品として選定する販売個数選定ステップとを備えることを特徴とする商品カタログの商品選定方法。
【請求項８】
前記販売個数選定ステップにおいて、カタログ掲載商品として選定される候補商品数が商品カタログに掲載すべく予め設定された所定の商品数に一致するように、前記所定の販売個数又は所定の販売順位が設定されることを特徴とする請求項６又は７記載の商品カタログの商品選定方法。
【発明の詳細な説明】
【技術分野】
【０００１】
本発明は、商品カタログに掲載するための商品を選定するためのシステム及び方法に関する。
【背景技術】
【０００２】
従来、この種の商品カタログの商品選定システム及び方法として、メーカが販売する各商品に関して商品ＩＤと目的・用途のニーズ分類情報とを備える商品情報における前記ニーズ分類情報と、商品の目的・用途のニーズを示す顧客情報とを照合して、顧客のニーズに適合する商品ＩＤをカタログ掲載商品として抽出するシステム及び方法が知られている（例えば、特許文献１）。
【０００３】
ここで、顧客情報は、顧客が商品の「利用目的」に関する商品ニーズを所定の複数項目から選択すると共に、商品を購入する際の「重視ポイント」に関する商品ニーズを所定の複数項目から選択することにより得られる。
【先行技術文献】
【特許文献】
【０００４】
【特許文献１】特開２００７−２４９９５８号公報
【発明の概要】
【発明が解決しようとする課題】
【０００５】
しかしながら、上記従来の商品カタログの商品選定システム及び方法では、上記のように顧客が所定項目を選択してなる顧客情報の取得を要するため、顧客が非協力的である場合には顧客情報の取得ができないなど顧客情報の取得が容易ではなく、即ち商品カタログの商品において顧客の商品ニーズを反映して顧客に魅力的な商品を確実に選定する点で課題があった。
【０００６】
そこで、本発明は、上記問題に鑑みてなされたもので、商品カタログの商品において消費者の商品ニーズを反映して消費者に魅力的な商品を確実に選定できる商品カタログの商品選定システム及び方法を提供することを課題とする。
【課題を解決するための手段】
【０００７】
本発明に係る商品カタログの商品選定システムは、上記課題を解決するためになされたもので、小売店で販売された複数の販売商品に関する販売履歴データと、商品カタログに掲載される商品の候補である複数の候補商品に関する商品候補データとを用いて、商品カタログに掲載するための商品を選定するためのシステムであって、前記販売履歴データは、各販売商品を予め設定した分類毎に区分けした商品分類情報と、各販売商品の販売価格情報とを有し、前記商品候補データは、各候補商品を予め設定した分類毎に区分けした商品分類情報と、各候補商品の販売価格を販売価格帯毎に区分けした価格帯情報とを有し、販売履歴データにおける各販売商品の商品分類情報と商品候補データにおける各候補商品の商品分類情報とを比較し、互いに一致する候補商品を第一選定商品として選定する商品分類選定手段と、前記商品分類選定手段によって選定された第一選定商品の価格帯情報に対して、該第一選定商品の商品分類情報に一致した販売商品の販売価格情報が含まれるか否かを判別し、販売商品の販売価格情報を含むと判断された第一選定商品をカタログ掲載商品として選定する価格選定手段とを備えることを特徴とする。
【０００８】
かかる構成からなる商品カタログの商品選定システムによれば、商品カタログに掲載するための商品は、販売履歴データと商品候補データとを用いて、商品分類選定手段によって小売店で消費者に販売された販売商品の商品分類情報に一致して選定され、かつ、価格選定手段によって販売商品の販売価格情報を含んで選定されるため、消費者の所定種類の商品ニーズだけでなく、その所定種類の商品における価格ニーズを反映して商品カタログの商品を選定でき、即ち商品カタログの商品において消費者の商品ニーズを反映して消費者に魅力的な商品を確実に選定できる。
【０００９】
また、本発明に係る商品カタログの商品選定システムは、小売店で販売された複数の販売商品に関する販売履歴データと、商品カタログに掲載される商品の候補である複数の候補商品に関する商品候補データとを用いて、商品カタログに掲載するための商品を選定するためのシステムであって、前記販売履歴データは、各販売商品を予め設定した分類毎に区分けした商品分類情報と、各販売商品の販売個数又は販売順位情報とを有し、前記商品候補データは、各候補商品を予め設定した分類毎に区分けした商品分類情報を有し、販売履歴データにおける各販売商品の商品分類情報と商品候補データにおける各候補商品の商品分類情報とを比較し、互いに一致する候補商品を第一選定商品として選定する商品分類選定手段と、前記第一選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第一選定商品をカタログ掲載商品として選定する販売個数選定手段とを備えることを特徴とする。
【００１０】
かかる構成からなる商品カタログの商品選定システムによれば、商品カタログに掲載するための商品は、販売履歴データと商品候補データとを用いて、商品分類選定手段によって小売店で消費者に販売された販売商品の商品分類情報に一致して選定され、かつ、販売個数選定手段によって所定の販売個数以上又は所定の販売順位以上である販売商品の商品分類情報に一致して選定されるため、消費者の所定種類の商品ニーズだけでなく、そのニーズの高さを反映して商品カタログの商品を選定でき、即ち商品カタログの商品において消費者の商品ニーズを反映して消費者に魅力的な商品を確実に選定できる。
【００１１】
また、本発明に係る商品カタログの商品選定システムは、小売店で販売された複数の販売商品に関する販売履歴データと、商品カタログに掲載される商品の候補である複数の候補商品に関する商品候補データとを用いて、商品カタログに掲載するための商品を選定するためのシステムであって、前記販売履歴データは、各販売商品を予め設定した分類毎に区分けした商品分類情報と、各販売商品の販売価格情報と、各販売商品の販売個数又は販売順位情報とを有し、前記商品候補データは、各候補商品を予め設定した分類毎に区分けした商品分類情報と、各候補商品の販売価格を販売価格帯毎に区分けした価格帯情報とを有し、販売履歴データにおける各販売商品の商品分類情報と商品候補データにおける各候補商品の商品分類情報とを比較し、互いに一致する候補商品を第一選定商品として選定する商品分類選定手段と、前記商品分類選定手段によって選定された第一選定商品の価格帯情報に対して、該第一選定商品の商品分類情報に一致した販売商品の販売価格情報が含まれるか否かを判別し、販売商品の販売価格情報を含むと判断された第一選定商品を第二選定商品として選定する価格選定手段と、前記第二選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第二選定商品をカタログ掲載商品として選定する販売個数選定手段とを備えることを特徴とする。
【００１２】
かかる構成からなる商品カタログの商品選定システムによれば、商品カタログに掲載するための商品は、販売履歴データと商品候補データとを用いて、商品分類選定手段によって小売店で消費者に販売された販売商品の商品分類情報に一致して選定されると共に、価格選定手段によって販売商品の販売価格情報を含んで選定され、かつ、販売個数選定手段によって所定の販売個数以上又は所定の販売順位以上である販売商品の商品分類情報に一致して選定されるため、消費者の所定種類の商品ニーズだけでなく、その商品ニーズにおける価格ニーズ及び、その商品ニーズの高さを反映して商品カタログの商品を選定でき、即ち商品カタログの商品において消費者の商品ニーズを反映して消費者に魅力的な商品を確実に選定できる。
【００１３】
また、本発明に係る商品カタログの商品選定システムでは、前記所定の販売個数又は所定の販売順位は、前記販売個数選定手段によってカタログ掲載商品として選定される候補商品数が商品カタログに掲載すべく予め設定された所定の商品数に一致するように設定されるように構成され得る。
【００１４】
かかる構成からなる商品カタログの商品選定システムによれば、販売個数選定手段によってカタログ掲載商品として選定される候補商品数は、商品カタログに掲載すべく予め設定された所定の商品数に一致するため、即ち商品カタログに掲載するための商品全てが過不足なく販売個数選定手段によって選定されるため、カタログ商品の選定効率を向上できる。
【００１５】
また、本発明に係る商品カタログの商品選定方法は、小売店で販売された複数の販売商品に関する販売履歴データと、商品カタログに掲載される商品の候補である複数の候補商品に関する商品候補データとを用いて、商品カタログに掲載するための商品を選定するための方法であって、前記販売履歴データは、各販売商品を予め設定した分類毎に区分けした商品分類情報と、各販売商品の販売価格情報とを有し、前記商品候補データは、各候補商品を予め設定した分類毎に区分けした商品分類情報と、各候補商品の販売価格を販売価格帯毎に区分けした価格帯情報とを有し、販売履歴データにおける各販売商品の商品分類情報と商品候補データにおける各候補商品の商品分類情報とを比較し、互いに一致する候補商品を第一選定商品として選定する商品分類選定ステップと、前記商品分類選定ステップによって選定された第一選定商品の価格帯情報に対して、該第一選定商品の商品分類情報に一致した販売商品の販売価格情報が含まれるか否かを判別し、販売商品の販売価格情報を含むと判断された第一選定商品をカタログ掲載商品として選定する価格選定ステップとを備えることを特徴とする。
【００１６】
かかる構成からなる商品カタログの商品選定方法によれば、商品カタログに掲載するための商品は、販売履歴データと商品候補データとを用いて、商品分類選定ステップによって小売店で消費者に販売された販売商品の商品分類情報に一致して選定され、かつ、価格選定ステップによって販売商品の販売価格情報を含んで選定されるため、消費者の所定種類の商品ニーズだけでなく、その所定種類の商品における価格ニーズを反映して商品カタログの商品を選定でき、即ち商品カタログの商品において消費者の商品ニーズを反映して消費者に魅力的な商品を確実に選定できる。
【００１７】
また、本発明に係る商品カタログの商品選定方法は、小売店で販売された複数の販売商品に関する販売履歴データと、商品カタログに掲載される商品の候補である複数の候補商品に関する商品候補データとを用いて、商品カタログに掲載するための商品を選定するための方法であって、前記販売履歴データは、各販売商品を予め設定した分類毎に区分けした商品分類情報と、各販売商品の販売個数又は販売順位情報とを有し、前記商品候補データは、各候補商品を予め設定した分類毎に区分けした商品分類情報を有し、販売履歴データにおける各販売商品の商品分類情報と商品候補データにおける各候補商品の商品分類情報とを比較し、互いに一致する候補商品を第一選定商品として選定する商品分類選定ステップと、前記第一選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第一選定商品をカタログ掲載商品として選定する販売個数選定ステップとを備えることを特徴とする。
【００１８】
かかる構成からなる商品カタログの商品選定方法によれば、商品カタログに掲載するための商品は、販売履歴データと商品候補データとを用いて、商品分類選定ステップによって小売店で消費者に販売された販売商品の商品分類情報に一致して選定され、かつ、販売個数選定ステップによって所定の販売個数以上又は所定の販売順位以上である販売商品の商品分類情報に一致して選定されるため、消費者の所定種類の商品ニーズだけでなく、そのニーズの高さを反映して商品カタログの商品を選定でき、即ち商品カタログの商品において消費者の商品ニーズを反映して消費者に魅力的な商品を確実に選定できる。
【００１９】
また、本発明に係る商品カタログの商品選定方法は、小売店で販売された複数の販売商品に関する販売履歴データと、商品カタログに掲載される商品の候補である複数の候補商品に関する商品候補データとを用いて、商品カタログに掲載するための商品を選定するための方法であって、前記販売履歴データは、各販売商品を予め設定した分類毎に区分けした商品分類情報と、各販売商品の販売価格情報と、各販売商品の販売個数又は販売順位情報とを有し、前記商品候補データは、各候補商品を予め設定した分類毎に区分けした商品分類情報と、各候補商品の販売価格を販売価格帯毎に区分けした価格帯情報とを有し、販売履歴データにおける各販売商品の商品分類情報と商品候補データにおける各候補商品の商品分類情報とを比較し、互いに一致する候補商品を第一選定商品として選定する商品分類選定ステップと、前記商品分類選定ステップによって選定された第一選定商品の価格帯情報に対して、該第一選定商品の商品分類情報に一致した販売商品の販売価格情報が含まれるか否かを判別し、販売商品の販売価格情報を含むと判断された第一選定商品を第二選定商品として選定する価格選定ステップと、前記第二選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第二選定商品をカタログ掲載商品として選定する販売個数選定ステップとを備えることを特徴とする。
【００２０】
かかる構成からなる商品カタログの商品選定方法によれば、商品カタログに掲載するための商品は、販売履歴データと商品候補データとを用いて、商品分類選定ステップによって小売店で消費者に販売された販売商品の商品分類情報に一致して選定されると共に、価格選定ステップによって販売商品の販売価格情報を含んで選定され、かつ、販売個数選定ステップによって所定の販売個数以上又は所定の販売順位以上である販売商品の商品分類情報に一致して選定されるため、消費者の所定種類の商品ニーズだけでなく、その商品ニーズにおける価格ニーズ及び、その商品ニーズの高さを反映して商品カタログの商品を選定でき、即ち商品カタログの商品において消費者の商品ニーズを反映して消費者に魅力的な商品を確実に選定できる。
【００２１】
また、本発明に係る商品カタログの商品選定方法では、前記販売個数選定ステップにおいて、カタログ掲載商品として選定される候補商品数が商品カタログに掲載すべく予め設定された所定の商品数に一致するように、前記所定の販売個数又は所定の販売順位が設定されるように構成され得る。
【００２２】
かかる構成からなる商品カタログの商品選定方法によれば、販売個数選定ステップによってカタログ掲載商品として選定される候補商品数は、商品カタログに掲載すべく予め設定された所定の商品数に一致するため、即ち商品カタログに掲載するための商品全てが過不足なく販売個数選定ステップによって選定されるため、カタログ商品の選定効率を向上できる。
【発明の効果】
【００２３】
以上のように、本発明に係る商品カタログの商品選定システム及び方法によれば、商品カタログの商品において消費者の商品ニーズを反映して消費者に魅力的な商品を確実に選定できる。
【図面の簡単な説明】
【００２４】
【図１】（ａ）は、本実施形態に係る販売履歴データにおける商品分類情報の一例を示し、（ｂ）は、商品候補データにおける商品分類情報の一例を示す。
【図２】同商品候補データにおける価格帯情報の一例を示す。
【図３】同商品カタログの商品選定方法のフローを示す。
【発明を実施するための形態】
【００２５】
以下、本発明に係る商品カタログの商品選定システムの一実施形態について、図面を参照しつつ説明する。
【００２６】
商品カタログの商品選定システム（以下、商品選定システムという）は、小売店で販売された複数の販売商品に関する販売履歴データと、商品カタログに掲載される商品の候補である複数の候補商品に関する商品候補データとを用いて、商品カタログに掲載するための商品を選定するためのシステムである。
【００２７】
本実施形態の商品選定システムは、小売店で販売された複数の販売商品に関する販売履歴データを記憶する販売履歴データ記憶手段と、商品カタログに掲載される商品の候補である複数の候補商品に関する商品候補データを記憶する商品候補データ記憶手段と、販売履歴データ及び商品候補データを用いて所定の演算処理を行う演算処理手段とを有する。かかる商品選定システムは、例えば、ハードディスクドライブ、ＲＡＭ（記憶装置）、ＣＰＵ（中央演算処理装置）、マウス、キーボード、モニタなどを備え、インターネット接続可能な汎用コンピュータで構成される。
【００２８】
販売履歴データは、各販売商品を予め設定した分類毎に区分けした商品分類情報と、各販売商品の販売価格情報と、各販売商品の販売個数又は販売順位情報とを有する。
【００２９】
販売商品の商品分類情報は、少なくとも大・中・小・詳細分類の４分類を必須分類項目として有し、大分類から小分類までは総務省統計局の「日本標準商品分類」に基づく。商品分類情報は、前記必須分類項目の他、用途、産地、サイズ、素材、ブランド、メーカ等の分類項目を任意で有する。各分類項目は複数の選択項目を有しており、各分類項目から一の選択項目が選ばれることで、各販売商品の商品分類情報が形成される。また、各分類項目に属する各選択項目には、演算処理を効率化すべく、整理番号が割り当てられている。例えば、大分類は、「食料品・飲料」、「生活・文化用品」、「情報・通信機器」などの選択項目を有するとき、その整理番号は順に「１」、「３」、「５」が割り当てられている。また、大分類が「食料品・飲料」において中分類が「畜産食品」であるとき、整理番号は「１−２」が割り当てられている（図１（ａ）参照）。
【００３０】
より具体的には、販売商品のうち、松坂牛ロースステーキ（生鮮肉）の商品分類情報は、図１（ａ）に示すように、大分類が「食料品・飲料」、中分類が「畜産食品」、小分類が「牛肉」、詳細分類が「ロース」、用途分類が「ステーキ用」、産地分類が「国内・松坂」、サイズ分類が「３００ｇ」で形成されている。この松坂牛ロースステーキ（生鮮肉）の商品分類情報は、大分類からサイズ分類まで各々の分類項目において整理番号が付与されることによって、図１（ａ）に示すように「１−２−１−３−２−４−３」という整理番号を有してなる。
【００３１】
販売商品の販売価格情報は、小売店で販売された販売商品の販売価格又は該販売価格を中心にして前後に所定の価格幅を持たせてなる販売価格又は販売価格の平均価格である。例えば、前記松坂牛ロースステーキ（生鮮肉）の販売価格情報は、販売価格である１０，５００円である。また、販売商品の販売個数又は販売順位情報は、所定期間内（例えば、年間や月間など）に小売店で販売された販売商品の販売個数又は販売順位である。例えば、前記松坂牛ロースステーキ（生鮮肉）の販売個数又は販売順位情報は、年間で販売個数３５０個又は販売順位１位である。
【００３２】
商品候補データは、各候補商品を予め設定した分類毎に区分けした商品分類情報と、各候補商品の販売価格を販売価格帯毎に区分けした価格帯情報とを有する。候補商品の商品分類情報は、販売商品の商品分類情報と同じ構成である。例えば、候補商品のうち、オーストラリア産ステーキ（生鮮肉）の商品分類情報は、図１（ｂ）に示すように、大分類が「食料品・飲料」、中分類が「畜産食品」、小分類が「牛肉」、詳細分類が「ロース」、用途分類が「ステーキ用」、産地分類が「外国・オーストラリア」、サイズ分類が「５００ｇ」で形成されている。候補商品の価格帯情報は、所定の価格幅（例えば、５００円、１０００円等）を有する複数の価格帯である。本実施形態における候補商品の価格帯情報は、図２に示すように、１２個の所定の価格帯で構成され、各価格帯には、演算処理を効率化すべく、整理番号が割り当てられている。例えば、オーストラリア産ステーキ（生鮮肉）の価格帯は、前記オーストラリア産ステーキ（生鮮肉）の市場販売価格又は想定される販売価格又は前記販売価格の平均価格が含まれる６，００１〜７，０００円であり、整理番号は「８」である。
【００３３】
また、本実施形態の候補商品は、サービスポイント（各種の商品・役務の購入金額あるいは来店回数等に応じて一定の条件で計算された点数（ポイント）を顧客に与えるサービス）においてポイントと交換されるための特典商品として特別に用意された商品であって、小売店で実際に販売している販売商品とは異なる商品である。なお、候補商品は、サービスポイントのために用意された商品の他にも、小売店で実際に販売している販売商品とすることも可能である。
【００３４】
演算処理手段は、商品分類選定手段と価格選定手段と販売個数選定手段とを備える。商品分類選定手段は、販売履歴データにおける各販売商品の商品分類情報と商品候補データにおける各候補商品の商品分類情報とを比較し、互いに一致する候補商品を第一選定商品として選定するように構成される。ここで、販売商品の商品分類情報と候補商品の商品分類情報とが一致するとは、完全一致又は一部一致である。例えば、販売商品と候補商品との商品分類情報の分類項目（即ち分類項目の整理番号）全てが一致するとき、その候補商品を第一選定商品として選定することが可能である。また、販売商品と候補商品との商品分類情報の分類項目（即ち分類項目の整理番号）のうち、例えば、大分類のみ、又は、大分類と中分類のみ、又は、大分類から詳細分類までなど、分類項目の一部のみが一致するとき、その候補商品を第一選定商品として選定することも可能である。更に、販売商品の商品分類情報の各分類項目の一選択項目が、候補商品の商品分類情報の各分類項目に属する全選択項目のうち、幾つかの選択項目を一括りにして設定した所定範囲（所定グループ）に含まれることにより一部一致となるとき、前記所定範囲の選択項目に一致する候補商品を第一選定商品として選定することも可能である。
【００３５】
価格選定手段は、前記商品分類選定手段によって選定された第一選定商品の価格帯情報に対して、該第一選定商品の商品分類情報に一致した販売商品の販売価格情報が含まれるか否かを判別し、販売商品の販売価格情報を含むと判断された第一選定商品を第二選定商品として選定するように構成される。
【００３６】
販売個数選定手段は、前記第二選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第二選定商品をカタログ掲載商品として選定するように構成される。また、前記所定の販売個数又は所定の販売順位は、前記販売個数選定手段によってカタログ掲載商品として選定される候補商品数が商品カタログに掲載すべく予め設定された所定の商品数に一致するように設定される。
【００３７】
以上の構成からなる商品選定システムを用いた商品カタログの商品選定方法について、図３を参照しつつ説明する。なお、図３では、販売履歴データをデータＡ、商品候補データをデータＢと記載している。
【００３８】
商品カタログの商品選定方法は、販売履歴データ記憶ステップ（Ｓ１）と、商品候補データ記憶ステップ（Ｓ２）と、商品分類選定ステップ（Ｓ３）と、価格選定ステップ（Ｓ４）と、販売個数選定ステップ（Ｓ５）とを備えて構成される。
【００３９】
Ｓ１では、販売履歴データ記憶手段により販売履歴データを記憶させる。Ｓ２では、商品候補データ記憶手段により商品候補データを記憶させる。Ｓ３では、商品分類選定手段により、販売履歴データにおける各販売商品の商品分類情報と商品候補データにおける各候補商品の商品分類情報とを比較し、互いに一致する候補商品を第一選定商品として選定する（Ｓ３でＹｅｓ）。一方、候補商品のうち、各販売商品の商品分類情報に一致しない候補商品は、カタログの商品から除外される（Ｓ３でＮｏ）。
【００４０】
Ｓ４では、価格選定手段により、前記商品分類選定手段によって選定された第一選定商品の価格帯情報に対して、該第一選定商品の商品分類情報に一致した販売商品の販売価格情報が含まれるか否かを判別し、販売商品の販売価格情報を含むと判断された第一選定商品を第二選定商品として選定する（Ｓ４でＹｅｓ）。一方、第一選定商品のうち、販売商品の販売価格情報を含まない第一選定商品は、カタログの商品から除外される（Ｓ４でＮｏ）。
【００４１】
Ｓ５では、販売個数選定手段により、前記第二選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第二選定商品をカタログ掲載商品として選定する（Ｓ５でＹｅｓ）。ここで、所定の販売個数又は所定の販売順位の設定により、カタログ掲載商品として選定された候補商品数は、商品カタログに掲載すべく予め設定された所定の商品数に一致するようになっている。一方、第二選定商品のうち、前記所定の販売個数未満又は所定の販売順位未満である販売商品の商品分類情報に一致した第二選定商品は、カタログの商品から除外される（Ｓ５でＮｏ）。
【００４２】
以上、本実施形態に係る商品カタログの商品選定システムによれば、本実施形態に係る商品カタログの商品選定システムは、小売店で販売された複数の販売商品に関する販売履歴データと、商品カタログに掲載される商品の候補である複数の候補商品に関する商品候補データとを用いて、商品カタログに掲載するための商品を選定するためのシステムであって、前記販売履歴データは、各販売商品を予め設定した分類毎に区分けした商品分類情報と、各販売商品の販売価格情報と、各販売商品の販売個数又は販売順位情報とを有し、前記商品候補データは、各候補商品を予め設定した分類毎に区分けした商品分類情報と、各候補商品の販売価格を販売価格帯毎に区分けした価格帯情報とを有し、販売履歴データにおける各販売商品の商品分類情報と商品候補データにおける各候補商品の商品分類情報とを比較し、互いに一致する候補商品を第一選定商品として選定する商品分類選定手段と、前記商品分類選定手段によって選定された第一選定商品の価格帯情報に対して、該第一選定商品の商品分類情報に一致した販売商品の販売価格情報が含まれるか否かを判別し、販売商品の販売価格情報を含むと判断された第一選定商品を第二選定商品として選定する価格選定手段と、前記第二選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第二選定商品をカタログ掲載商品として選定する販売個数選定手段とを備えることを特徴とする。
【００４３】
かかる構成からなる商品カタログの商品選定システムによれば、商品カタログに掲載するための商品は、販売履歴データと商品候補データとを用いて、商品分類選定手段によって小売店で消費者に販売された販売商品の商品分類情報に一致して選定されると共に、価格選定手段によって販売商品の販売価格情報を含んで選定され、かつ、販売個数選定手段によって所定の販売個数以上又は所定の販売順位以上である販売商品の商品分類情報に一致して選定されるため、消費者の所定種類の商品ニーズだけでなく、その商品ニーズにおける価格ニーズ及び、その商品ニーズの高さを反映して商品カタログの商品を選定でき、即ち商品カタログの商品において消費者の商品ニーズを反映して消費者に魅力的な商品を確実に選定できる。
【００４４】
また、本実施形態に係る商品カタログの商品選定システムでは、前記所定の販売個数又は所定の販売順位は、前記販売個数選定手段によってカタログ掲載商品として選定される候補商品数が商品カタログに掲載すべく予め設定された所定の商品数に一致するように設定されるように構成され得る。
【００４５】
かかる構成からなる商品カタログの商品選定システムによれば、販売個数選定手段によってカタログ掲載商品として選定される候補商品数は、商品カタログに掲載すべく予め設定された所定の商品数に一致するため、即ち商品カタログに掲載するための商品全てが過不足なく販売個数選定手段によって選定されるため、カタログ商品の選定効率を向上できる。
【００４６】
また、本実施形態に係る商品カタログの商品選定方法は、小売店で販売された複数の販売商品に関する販売履歴データと、商品カタログに掲載される商品の候補である複数の候補商品に関する商品候補データとを用いて、商品カタログに掲載するための商品を選定するための方法であって、前記販売履歴データは、各販売商品を予め設定した分類毎に区分けした商品分類情報と、各販売商品の販売価格情報と、各販売商品の販売個数又は販売順位情報とを有し、前記商品候補データは、各候補商品を予め設定した分類毎に区分けした商品分類情報と、各候補商品の販売価格を販売価格帯毎に区分けした価格帯情報とを有し、販売履歴データにおける各販売商品の商品分類情報と商品候補データにおける各候補商品の商品分類情報とを比較し、互いに一致する候補商品を第一選定商品として選定する商品分類選定ステップと、前記商品分類選定ステップによって選定された第一選定商品の価格帯情報に対して、該第一選定商品の商品分類情報に一致した販売商品の販売価格情報が含まれるか否かを判別し、販売商品の販売価格情報を含むと判断された第一選定商品を第二選定商品として選定する価格選定ステップと、前記第二選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第二選定商品をカタログ掲載商品として選定する販売個数選定ステップとを備えることを特徴とする。
【００４７】
かかる構成からなる商品カタログの商品選定方法によれば、商品カタログに掲載するための商品は、販売履歴データと商品候補データとを用いて、商品分類選定ステップによって小売店で消費者に販売された販売商品の商品分類情報に一致して選定されると共に、価格選定ステップによって販売商品の販売価格情報を含んで選定され、かつ、販売個数選定ステップによって所定の販売個数以上又は所定の販売順位以上である販売商品の商品分類情報に一致して選定されるため、消費者の所定種類の商品ニーズだけでなく、その商品ニーズにおける価格ニーズ及び、その商品ニーズの高さを反映して商品カタログの商品を選定でき、即ち商品カタログの商品において消費者の商品ニーズを反映して消費者に魅力的な商品を確実に選定できる。
【００４８】
また、本実施形態に係る商品カタログの商品選定方法では、前記販売個数選定ステップにおいて、カタログ掲載商品として選定される候補商品数が商品カタログに掲載すべく予め設定された所定の商品数に一致するように、前記所定の販売個数又は所定の販売順位が設定されるように構成され得る。
【００４９】
かかる構成からなる商品カタログの商品選定方法によれば、販売個数選定ステップによってカタログ掲載商品として選定される候補商品数は、商品カタログに掲載すべく予め設定された所定の商品数に一致するため、即ち商品カタログに掲載するための商品全てが過不足なく販売個数選定ステップによって選定されるため、カタログ商品の選定効率を向上できる。
【００５０】
要するに、本実施形態に係る商品カタログの商品選定システム及び商品選定方法では、小売店で実施しているサービスポイントにおけるポイント交換特典として提供する商品交換カタログの制作において、小売店での商品ニーズ（商品販売動向）に一致するカタログ掲載商品を自動抽出することで、消費者の交換需要が高くなるようにカタログ制作を最適化している。
【００５１】
尚、本発明に係る商品カタログの商品選定システム及び方法は、上記実施形態に限定されるものではなく、本発明の要旨を逸脱しない範囲で種々の変更が可能である。
【００５２】
例えば、本実施形態の商品選定システムは、販売履歴データ記憶手段に記憶した販売履歴データ及び商品候補データ記憶手段に記憶した商品候補データを用いる場合について説明したが、これに限らず、商品選定システムは、小売店端末とネットワーク回線を介して接続され、小売店端末に記憶された販売履歴データ及び商品候補データを用いることも可能である。小売店端末は、販売履歴データを記憶し、販売履歴データを商品選定システム（本体端末）に送信するように構成される。具体的には、小売店端末は、ハードディスクドライブ、ＲＡＭ（記憶装置）、ＣＰＵ（中央演算処理装置）、マウス、キーボード、モニタなどを備え、インターネット接続可能な汎用コンピュータである。
【００５３】
また、他の実施形態に係る商品カタログの商品選定システムは、小売店で販売された複数の販売商品に関する販売履歴データと、商品カタログに掲載される商品の候補である複数の候補商品に関する商品候補データとを用いて、商品カタログに掲載するための商品を選定するためのシステムであって、前記販売履歴データは、各販売商品を予め設定した分類毎に区分けした商品分類情報と、各販売商品の販売価格情報とを有し、前記商品候補データは、各候補商品を予め設定した分類毎に区分けした商品分類情報と、各候補商品の販売価格を販売価格帯毎に区分けした価格帯情報とを有し、販売履歴データにおける各販売商品の商品分類情報と商品候補データにおける各候補商品の商品分類情報とを比較し、互いに一致する候補商品を第一選定商品として選定する商品分類選定手段と、前記商品分類選定手段によって選定された第一選定商品の価格帯情報に対して、該第一選定商品の商品分類情報に一致した販売商品の販売価格情報が含まれるか否かを判別し、販売商品の販売価格情報を含むと判断された第一選定商品をカタログ掲載商品として選定する価格選定手段とを備えることを特徴とする。
【００５４】
かかる構成からなる商品カタログの商品選定システムによれば、商品カタログに掲載するための商品は、販売履歴データと商品候補データとを用いて、商品分類選定手段によって小売店で消費者に販売された販売商品の商品分類情報に一致して選定され、かつ、価格選定手段によって販売商品の販売価格情報を含んで選定されるため、消費者の所定種類の商品ニーズだけでなく、その所定種類の商品における価格ニーズを反映して商品カタログの商品を選定でき、即ち商品カタログの商品において消費者の商品ニーズを反映して消費者に魅力的な商品を確実に選定できる。
【００５５】
また、他の実施形態に係る商品カタログの商品選定システムは、小売店で販売された複数の販売商品に関する販売履歴データと、商品カタログに掲載される商品の候補である複数の候補商品に関する商品候補データとを用いて、商品カタログに掲載するための商品を選定するためのシステムであって、前記販売履歴データは、各販売商品を予め設定した分類毎に区分けした商品分類情報と、各販売商品の販売個数又は販売順位情報とを有し、前記商品候補データは、各候補商品を予め設定した分類毎に区分けした商品分類情報を有し、販売履歴データにおける各販売商品の商品分類情報と商品候補データにおける各候補商品の商品分類情報とを比較し、互いに一致する候補商品を第一選定商品として選定する商品分類選定手段と、前記第一選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第一選定商品をカタログ掲載商品として選定する販売個数選定手段とを備えることを特徴とする。
【００５６】
かかる構成からなる商品カタログの商品選定システムによれば、商品カタログに掲載するための商品は、販売履歴データと商品候補データとを用いて、商品分類選定手段によって小売店で消費者に販売された販売商品の商品分類情報に一致して選定され、かつ、販売個数選定手段によって所定の販売個数以上又は所定の販売順位以上である販売商品の商品分類情報に一致して選定されるため、消費者の所定種類の商品ニーズだけでなく、そのニーズの高さを反映して商品カタログの商品を選定でき、即ち商品カタログの商品において消費者の商品ニーズを反映して消費者に魅力的な商品を確実に選定できる。
【００５７】
また、他の実施形態に係る商品カタログの商品選定方法は、小売店で販売された複数の販売商品に関する販売履歴データと、商品カタログに掲載される商品の候補である複数の候補商品に関する商品候補データとを用いて、商品カタログに掲載するための商品を選定するための方法であって、前記販売履歴データは、各販売商品を予め設定した分類毎に区分けした商品分類情報と、各販売商品の販売価格情報とを有し、前記商品候補データは、各候補商品を予め設定した分類毎に区分けした商品分類情報と、各候補商品の販売価格を販売価格帯毎に区分けした価格帯情報とを有し、販売履歴データにおける各販売商品の商品分類情報と商品候補データにおける各候補商品の商品分類情報とを比較し、互いに一致する候補商品を第一選定商品として選定する商品分類選定ステップと、前記商品分類選定ステップによって選定された第一選定商品の価格帯情報に対して、該第一選定商品の商品分類情報に一致した販売商品の販売価格情報が含まれるか否かを判別し、販売商品の販売価格情報を含むと判断された第一選定商品をカタログ掲載商品として選定する価格選定ステップとを備えることを特徴とする。
【００５８】
かかる構成からなる商品カタログの商品選定方法によれば、商品カタログに掲載するための商品は、販売履歴データと商品候補データとを用いて、商品分類選定ステップによって小売店で消費者に販売された販売商品の商品分類情報に一致して選定され、かつ、価格選定ステップによって販売商品の販売価格情報を含んで選定されるため、消費者の所定種類の商品ニーズだけでなく、その所定種類の商品における価格ニーズを反映して商品カタログの商品を選定でき、即ち商品カタログの商品において消費者の商品ニーズを反映して消費者に魅力的な商品を確実に選定できる。
【００５９】
また、他の実施形態に係る商品カタログの商品選定方法は、小売店で販売された複数の販売商品に関する販売履歴データと、商品カタログに掲載される商品の候補である複数の候補商品に関する商品候補データとを用いて、商品カタログに掲載するための商品を選定するための方法であって、前記販売履歴データは、各販売商品を予め設定した分類毎に区分けした商品分類情報と、各販売商品の販売個数又は販売順位情報とを有し、前記商品候補データは、各候補商品を予め設定した分類毎に区分けした商品分類情報を有し、販売履歴データにおける各販売商品の商品分類情報と商品候補データにおける各候補商品の商品分類情報とを比較し、互いに一致する候補商品を第一選定商品として選定する商品分類選定ステップと、前記第一選定商品の商品分類情報に一致した販売商品の販売個数又は販売順位情報が予め設定した所定の販売個数以上又は所定の販売順位以上であるか否かを判別し、前記所定の販売個数以上又は所定の販売順位以上であると判断された販売商品の商品分類情報に一致した第一選定商品をカタログ掲載商品として選定する販売個数選定ステップとを備えることを特徴とする。
【００６０】
かかる構成からなる商品カタログの商品選定方法によれば、商品カタログに掲載するための商品は、販売履歴データと商品候補データとを用いて、商品分類選定ステップによって小売店で消費者に販売された販売商品の商品分類情報に一致して選定され、かつ、販売個数選定ステップによって所定の販売個数以上又は所定の販売順位以上である販売商品の商品分類情報に一致して選定されるため、消費者の所定種類の商品ニーズだけでなく、そのニーズの高さを反映して商品カタログの商品を選定でき、即ち商品カタログの商品において消費者の商品ニーズを反映して消費者に魅力的な商品を確実に選定できる。
【符号の説明】
【００６１】
Ｓ１…販売履歴データ記憶ステップ、Ｓ２…商品候補データ記憶ステップ、Ｓ３…商品分類選定ステップ、Ｓ４…価格選定ステップ、Ｓ５…販売個数選定ステップ
【図３】
2015072600.tif 000003
【図１】
2015072600.tif 000004
【図２】
2015072600.tif 000005